(57)【要約】【課題】本発明は、タイヤ走行時の空気抵抗の増大やタイヤ外面におけるクラックの発生を抑制しつつも、タイヤの外面のパターン領域におけるコントラストを得ることができる、タイヤを提供することを目的とする。【解決手段】本発明のタイヤは、タイヤの外面に形成され、ベース部を有するパターン領域を有し、前記パターン領域は、前記ベース部から０．０２ｍｍ超０．１ｍｍ未満の高さで突出した複数の凸条を有する。【選択図】図２
2020100371.tif 000002
【特許請求の範囲】
【請求項１】
タイヤの外面に形成され、ベース部を有するパターン領域を有し、
前記パターン領域は、前記ベース部から０．０２ｍｍ超０．１ｍｍ未満の高さで突出した複数の凸条を有することを特徴とする、タイヤ。
【請求項２】
前記パターン領域は、前記複数の凸条を密集配置した単位パターンを有し、
前記単位パターンは、前記単位パターンに含まれる前記複数の凸条の延在長さの和Ｌｓと、前記単位パターンの全体の面積Ｓとの比Ｌｓ／Ｓが、１．５〜５．５（ｍｍ／ｍｍ2）である、請求項１に記載のタイヤ。
【請求項３】
前記単位パターン内において、前記複数の凸条は、隣り合う前記凸条間の距離が、前記凸条の延在方向の一方向に向かって漸減する、請求項２に記載のタイヤ。
【請求項４】
前記単位パターン内において、前記凸条の延在長さが、２５０〜３５０ｍｍである、請求項２又は３に記載のタイヤ。
【請求項５】
前記パターン領域は、平面視で扇形の単位パターンの繰り返しからなる、請求項１〜４のいずれか一項に記載のタイヤ。
【請求項６】
前記パターン領域のうち、前記パターン領域外に隣接する領域を端部領域とし、前記端部領域に囲まれた領域を中央領域とするとき、
前記端部領域の少なくとも一部の前記凸条の突出高さが、前記中央領域の前記凸条の突出高さよりも低い、請求項１〜５のいずれか一項に記載のタイヤ。
【請求項７】
前記端部領域の少なくとも一部の前記凸条の突出高さは、前記中央領域側から前記パターン領域外側へ向かって漸減する、請求項６に記載のタイヤ。
【発明の詳細な説明】
【技術分野】
【０００１】
本発明は、タイヤに関するものである。
【背景技術】
【０００２】
従来、タイヤの外面に、模様等が加工されたパターン領域を形成する技術が提案されている（例えば、特許文献１、２）。
【先行技術文献】
【特許文献】
【０００３】
【特許文献１】国際公開第２０１７／０８６３６３号パンフレット
【特許文献２】特表２０１３／５０５８７２号公報
【発明の概要】
【発明が解決しようとする課題】
【０００４】
このような技術では、パターン領域における濃淡のコントラストを得ることが望まれる場合がある。また、加工されたパターンによるタイヤ走行時の空気抵抗の増大やタイヤの外面におけるクラックの発生を抑制することも望まれる。
【０００５】
そこで、本発明は、タイヤ走行時の空気抵抗の増大やタイヤの外面におけるクラックの発生を抑制しつつも、タイヤの外面のパターン領域におけるコントラストを得ることができる、タイヤを提供することを目的とする。
【課題を解決するための手段】
【０００６】
本発明の要旨構成は、以下の通りである。
本発明のタイヤは、
タイヤの外面に形成され、ベース部を有するパターン領域を有し、
前記パターン領域は、前記ベース部から０．０２ｍｍ超０．１ｍｍ未満の高さで突出した複数の凸条を有することを特徴とする。
本発明のタイヤによれば、タイヤ走行時の空気抵抗の増大やタイヤ外面におけるクラックの発生を抑制しつつ、タイヤの外面のパターン領域におけるコントラストを得ることができる。
【０００７】
ここで、凸条の「高さ」とは、タイヤを適用リムに装着し、規定内圧を充填し、無負荷とした際に、ベース部から該ベース部に垂直な方向に計測した高さをいうものとする。
「適用リム」とは、タイヤが生産され、使用される地域に有効な産業規格であって、日本ではＪＡＴＭＡ（日本自動車タイヤ協会）のＪＡＴＭＡ  ＹＥＡＲ  ＢＯＯＫ、欧州ではＥＴＲＴＯ（Ｔｈｅ  Ｅｕｒｏｐｅａｎ  Ｔｙｒｅ  ａｎｄ  Ｒｉｍ  Ｔｅｃｈｎｉｃａｌ  Ｏｒｇａｎｉｓａｔｉｏｎ）のＳＴＡＮＤＡＲＤＳ  ＭＡＮＵＡＬ、米国ではＴＲＡ（Ｔｈｅ  Ｔｉｒｅ  ａｎｄ  Ｒｉｍ  Ａｓｓｏｃｉａｔｉｏｎ，Ｉｎｃ．）のＹＥＡＲ  ＢＯＯＫ等に記載されているまたは将来的に記載される、適用サイズにおける標準リム（ＥＴＲＴＯのＳＴＡＮＤＡＲＤＳ  ＭＡＮＵＡＬではＭｅａｓｕｒｉｎｇ  Ｒｉｍ、ＴＲＡのＹＥＡＲ  ＢＯＯＫではＤｅｓｉｇｎ  Ｒｉｍ）を指す（即ち、上記の「適用リム」には、現行サイズに加えて将来的に上記産業規格に含まれ得るサイズも含む。「将来的に記載されるサイズ」の例としては、ＥＴＲＴＯ  ２０１３年度版において「ＦＵＴＵＲＥ  ＤＥＶＥＬＯＰＭＥＮＴＳ」として記載されているサイズを挙げることができる。）が、上記産業規格に記載のないサイズの場合は、タイヤのビード幅に対応した幅のリムをいう。
また、「規定内圧」とは、上記ＪＡＴＭＡ等に記載されている、適用サイズ・プライレーティングにおける単輪の最大負荷能力に対応する空気圧（最高空気圧）を指し、上記産業規格に記載のないサイズの場合は、「規定内圧」は、タイヤを装着する車両毎に規定される最大負荷能力に対応する空気圧（最高空気圧）をいうものとする。また、後述の「最大負荷荷重」とは、上記最大負荷能力に対応する荷重をいうものとする。
【０００８】
本発明のタイヤでは、前記パターン領域は、前記複数の凸条を密集配置した単位パターンを有し、
前記単位パターンは、前記単位パターンに含まれる前記複数の凸条の延在長さの和Ｌｓと、前記単位パターンの全体の面積Ｓとの比Ｌｓ／Ｓが、１．５〜５．５（ｍｍ／ｍｍ2）であることが好ましい。
この構成によれば、コントラストをより効果的に得ることができる。
【０００９】
本発明のタイヤでは、前記単位パターンにおいて、前記複数の凸条は、隣り合う前記凸条間の距離が、前記凸条の延在方向の一方向に向かって漸減することが好ましい。
この構成によれば、コントラストをさらに効果的に得ることができる。
【００１０】
本発明のタイヤでは、前記単位パターンにおいて、前記凸条の延在長さが、２５０〜３５０ｍｍであることが好ましい。
上記の範囲とすることにより、コントラストをより効果的に得ることができる。
【００１１】
本発明のタイヤでは、前記パターン領域は、平面視で扇形の単位パターンの繰り返しからなることが好ましい。
この構成によれば、単位パターンを密に配置して、パターン領域全体の多くの箇所でコントラストを得ることができる。
【００１２】
本発明のタイヤでは、前記パターン領域のうち、前記パターン領域外に隣接する領域を端部領域とし、前記端部領域に囲まれた領域を中央領域とするとき、前記端部領域の少なくとも一部の前記凸条の突出高さが、前記中央領域の前記凸条の突出高さよりも低いことが好ましい。
この構成によれば、パターン領域からパターン領域外へと段階的にコントラストが消失するようにすることができる。
【００１３】
本発明のタイヤでは、前記端部領域の少なくとも一部の前記凸条の突出高さは、前記中央領域側から前記パターン領域外側へ向かって漸減することが好ましい。
この構成によれば、パターン領域からパターン領域外へとグラデーション状にコントラストが消失するようにすることができる。
【発明の効果】
【００１４】
本発明によれば、タイヤ走行時の空気抵抗の増大やタイヤ外面におけるクラックの発生を抑制しつつ、タイヤの外面のパターン領域におけるコントラストを得ることができる、タイヤを提供することができる。
【図面の簡単な説明】
【００１５】
【図１】本発明の一実施形態にかかるタイヤを側面側から見た図である。
【図２】本発明の一実施形態にかかるタイヤの外面のパターン領域を示す平面図である。
【図３】図２のパターン領域のうち、４つの単位パターンを示す部分平面図である。
【図４】本発明の他の実施形態にかかるタイヤの外面のパターン領域を示す平面図である。
【発明を実施するための形態】
【００１６】
以下、本発明の実施形態について、図面を参照して詳細に例示説明する。なお、タイヤの内部構造等については、従来のそれと同様である。従って、詳細な説明は省略するが、一例としては、一対のビード部に連なる一対のサイドウォール部とトレッド部とを有し、該一対のビード部にトロイダル状に跨るカーカスのクラウン部のタイヤ径方向外側にベルト等の補強構造を有する構成とすることができる。
【００１７】
図１は、本発明の一実施形態にかかるタイヤ１を側面側から見た図である。図１に示すように、本実施形態のタイヤ１は、タイヤの外面（本実施形態ではサイドウォール部２）に、図示例で２つの標章部３が（タイヤ１の周上で互いにタイヤ周方向に１８０°離れて）形成されている。標章部３は、パターン領域（パターンが加工された加工部）３ａ（図１においては、パターン領域３ａの詳細は図示されておらず、図２、図３で詳細に示している）と、図示例で「ＡＢＣＤＥＦＧＨ」との文字からなる標章３ｂとを有している。この例では、文字は、平滑面で構成されているが、レーザー等の加工によって形成された凹凸等を有する構成とすることもできる。また、標章３ｂは、文字の他、図形や記号等で構成することもでき、この場合も平滑面で構成したり、凹凸等を有する構成としたりすることができる。なお、標章部３は、文字等の標章３ｂを有していなくても良く、パターン領域３ａのみから構成して、パターン領域３ａのみに標章としての機能を発揮させることもできる。
なお、標章部３は、タイヤ１を適用リムに装着し、規定内圧を充填し、無負荷状態とした際に、タイヤ最大幅位置（タイヤ幅方向の幅が最大となる位置）を含む、サイドウォール部２のタイヤ径方向領域の１／４以上１以下のタイヤ径方向領域にわたって形成されていることが好ましい。ここでいう「サイドウォール部」とは、ビードコアのタイヤ径方向外側端から接地端までのタイヤ径方向領域をいうものとする。また、「接地端」とは、タイヤ１を適用リムに装着し、規定内圧を充填し、最大負荷荷重を負荷した際に、路面と接することとなる接地面のタイヤ幅方向両外側端をいう。
【００１８】
図２は、本発明の一実施形態にかかるタイヤ１の外面のパターン領域３ａを示す平面図である。図２においては、説明の便宜上、「ＡＢＣＤＥＦＧＨ」との文字からなる標章３ｂは、省略している。図３は、図２のパターン領域３ｂのうち、４つの単位パターン６（６ａ、６ｂ、６ｃ、６ｄ）を示す部分平面図である。
【００１９】
図２、図３に示すように、本実施形態において、パターン領域３ａは、底面を形成するベース部４と、ベース部４から０．０２ｍｍ超０．１ｍｍ未満の高さで突出した複数の凸条（細長く平面方向に延びる凸部）５と、を有している。図示例では、凸条５は、当該凸条５の延在方向に垂直な断面視で台形状の形状をなしており、図示例では、凸条５の頂部の幅は、０．０１〜０．０３ｍｍであり、上記凸条５の底部の幅は、０．０２〜０．０４ｍｍであり、凸条５の頂部の幅と底部の幅との差は、０．０１ｍｍ程度である。なお、凸条５の頂部の幅及び底部の幅は、上記の範囲に限定されない。
また、図示例では、凸条５は、断面視で台形状であるが、矩形状、三角形状等、他の形状とすることもできる。凸条５は、いずれの断面形状である場合も、ベース部４から０．０２ｍｍ超０．１ｍｍ未満の高さで突出したものである。凸条５が矩形状の場合の凸条の幅は、特に限定されないが、例えば、０．０１５〜０．０３５ｍｍとすることができ、凸条５が三角形状の場合の凸条の幅は、特に限定されないが、例えば、０．０２〜０．０４ｍｍとすることができる。
上記のような凸条５は、例えば、レーザー加工により形成することができる。
【００２０】
図２に示すように、本実施形態では、パターン領域３ａは、平面視で扇形の単位パターン６の繰り返しからなっている。具体的には、図３に示すように、１つの単位パターン６は、ベース部４と、該ベース部４から０．０２ｍｍ超０．１ｍｍ未満の高さで突出し、平面視で各扇形の中心から放射状に延びる複数の凸条５が密集配置されている。図３に示すように、この例では、平面視で扇形の中心角は９０°であり、それを２０分割するように、同一延在長さの１９本の凸条５が設けられている。すなわち、本例では、各扇形は、平面視で円の１／４である。本例では、凸条５の延在長さは、各扇形間でも同一とされている。図２、図３に示すように、複数の凸条５は、隣り合う凸条５間の距離が、凸条５の延在方向の一方向に向かって（この例では扇形の中心に向かって）漸減（連続的に減少）している。なお、本例では、平面視で、各扇形の外周縁をなす、１つの弧及び２つの径線も、凸条５とされている。
そして、図２、図３に示すように、平面視で扇形である１つの単位パターン６ａの一辺と、平面視で扇形である他の単位パターン６ｂ、６ｃの一辺とが、扇形の中心同士が離間するように互いに１８０°回転させた状態で合わせられている。また、１つの単位パターン６ａと同じ向きの他の単位パターン６ｄが、その孤が、上記他の単位パターン６ｂ、６ｃの孤と接するように配置されている。そして、図３に示した状態の単位パターン６ａ〜６ｄの組を、図２に示すように、各扇形の孤の中央と交わる凸条５がタイヤ径方向に対して４５°傾斜するように繰り返し配置して、パターン領域３ａが形成されている。図示例では、隣り合う凸条５の間隔が小さい（密な）箇所が、タイヤ径方向に傾斜した方向にジグザグ状に延びている。具体的には、暗めに見える箇所が直線状に位置しつつも、平面視略三角形状の暗く見える箇所が、その直線を基準として、上記タイヤ径方向に傾斜した方向に隣り合う単位パターン６ごとに、交互に逆向きになるように形成されている。
以下、本実施形態のタイヤ１の作用効果について説明する。
【００２１】
本実施形態のタイヤ１によれば、パターン領域３ａは、ベース部４から０．０２ｍｍ超の高さで突出した複数の凸条５を有しているため、ベース部４及び凸条５における光の反射により、コントラスト（濃淡）を得ることができる。特に、本実施形態では、複数の凸条５は、隣り合う凸条５間の距離が、凸条５の延在方向の一方向に向かって漸減しているため、隣り合う凸条５間の距離に疎密が生じ、密な箇所が暗く見えて、疎な箇所が明るく見えるというコントラストを得ることができる。そして、本実施形態では、パターン領域３ａは、平面視で扇形の単位パターン６を上記のように繰り返し配置しているため、単位パターン６を密に配置して、パターン領域３ａ全体の多くの（規則的に位置した）箇所でコントラストを得ることができる。さらに、本実施形態では、隣り合う凸条５の間隔が小さい（密な箇所）が、タイヤ径方向に傾斜した方向にジグザグ状に延びているため、単位パターン６間でもコントラストを得ることができる。
そして、上記複数の凸条５は、０．１ｍｍ未満の高さで突出したものであるため、タイヤ走行時の空気抵抗の増大やタイヤ外面（本実施形態では、サイドウォール部２）におけるクラックの発生を抑制することもできる。
以上のように、本実施形態のタイヤ１によれば、タイヤ走行時の空気抵抗の増大やタイヤ外面におけるクラックの発生を抑制しつつ、タイヤの外面のパターン領域におけるコントラストを得ることができる。
【００２２】
本発明では、複数の凸条５は、ベース部４から０．０３ｍｍ以上０．１ｍｍ未満の高さで突出してなることが好ましい。複数の凸条５の高さを０．０３ｍｍ以上とすることにより、コントラスト効果をさらに得ることができるからである。同様の理由により、複数の凸条５は、ベース部４から０．０４ｍｍ以上０．１ｍｍ未満の高さで突出してなることがより好ましく、複数の凸条５は、ベース部４から０．０５ｍｍ以上０．１ｍｍ未満の高さで突出してなることがさらに好ましい。
一方で、本発明では、ベース部４から０．０２ｍｍ超０．０８ｍｍ以下の高さで突出してなることが好ましい。複数の凸条５の高さを０．０８ｍｍ以下とすることにより、タイヤ走行時の空気抵抗の増大やタイヤ外面におけるクラックの発生をさらに抑制することができるからである。同様の理由により、複数の凸条５は、ベース部４から０．０２ｍｍ超０．０７ｍｍ以下の高さで突出してなることがより好ましく、複数の凸条５は、ベース部４から０．０２ｍｍ超０．０６ｍｍ以下の高さで突出してなることがさらに好ましい。
なお、複数の凸条５間では、高さや幅を一定にすることが好ましい。高さや幅が異なることにより生じ得るコントラストをなくすことにより、上述したコントラストを目立たせることができるからである。
【００２３】
上記の例では、平面視で扇形の単位パターン６の中心角を９０°としたが、中心角は、特にこれに限定されるものではない。ただし、パターン領域３ａに単位パターン６を略規則的に配置する観点からは、平面視で扇形の単位パターン６の中心角は、８０°〜１００°とすることが好ましく、上記の例のように９０°とすることが最も好ましい。
上記の例では、平面視で扇形の単位パターン６の中心角を９０°とし、扇形の外周縁を除き、凸条５を１９本配置しているが、凸条５の本数は、特に限定されず、例えば、１０〜２５本とすることができる。中心角の大小に応じて、適宜凸条５の本数を増減させることができる。
【００２４】
図４は、本発明の他の実施形態にかかるタイヤの外面のパターン領域を示す平面図である。図４に示すように、パターン領域３ａのうち、パターン領域３ａ外に隣接する領域を端部領域７（７ａ〜７ｄ）とし、端部領域７に囲まれた領域を中央領域８とする。このとき、本例では、図４に示すように、端部領域７の少なくとも一部の凸条５の突出高さが、中央領域８の凸条の突出高さよりも低くなっている。図示例では、端部領域７のうち、パターン領域３ａ外に、タイヤ径方向内側及び外側に隣接する端部領域７ａ、７ｂにおいて、凸条５の突出高さが、中央領域８の凸条の突出高さよりも低くなっており、端部領域７ａ、７ｂにおける凸条５の突出高さは、中央領域８側からパターン領域外側へ向かって漸減（連続的に減少）している。
【００２５】
図４に示す実施形態のタイヤ１によれば、端部領域７の少なくとも一部の凸条５の突出高さが、中央領域８の凸条の突出高さよりも低くなっているため、パターン領域３ａからパターン領域３ａ外へと段階的にコントラストが消失する。特に、図４に示す例では、端部領域７の少なくとも一部の凸条５の突出高さが、中央領域８側からパターン領域外側へ向かって漸減しているため、パターン領域３ａからパターン領域３ａ外へとグラデーション状にコントラストが消失するようになっている。
【００２６】
図４に示す例では、端部領域７のうち、パターン領域３ａ外に、タイヤ径方向内側及び外側に隣接する端部領域７ａ、７ｂにおいて、凸条５の突出高さを、中央領域８の凸条の突出高さよりも低くしたが、上記端部領域７ａ及び７ｂのうちいずれか一方のみにおいて、凸条５の突出高さを、中央領域８の凸条の突出高さよりも低くする（例えば、中央領域８側からパターン領域外側へ向かって漸減させる）こともできる。このとき、端部領域７のうち、パターン領域３ａ外に、タイヤ周方向両側に隣接する端部領域７ｃ及び／又は７ｄについては、凸条５の突出高さを、中央領域８の凸条の突出高さよりも低くすることも高くすることもできるし、中央領域８の凸条の突出高さと同じ高さとすることもできる。
また、上記端部領域７ｃ、７ｄの少なくとも一方のみにおいて、凸条５の突出高さを、中央領域８の凸条の突出高さよりも低くする（例えば、中央領域８側からパターン領域外側へ向かって漸減させる）こともできる。このとき、上記端部領域７ａ及び／又は７ｂについては、凸条５の突出高さを、中央領域８の凸条の突出高さよりも低くすることも高くすることもできるし、中央領域８の凸条の突出高さと同じ高さとすることもできる。
なお、中央領域８においては、複数の凸条５間で高さや幅を一定にすることが好ましい。高さや幅が異なることにより生じ得るコントラストをなくすことにより、上述したコントラストを目立たせることができるからである。また、端部領域７においては、複数の凸条５の幅を一定にすることが好ましい。幅が異なることにより生じ得るコントラストをなくすことにより、上述したコントラストを目立たせることができるからである。
凸条５の突出高さを上記のように低くする端部領域７ａ及び／又は７ｂのタイヤ径方向の幅は、特に限定されないが、中央領域８の面積を確保しつつ、上記のコントラスト消失の視覚も得る観点から、それぞれ、パターン領域３ａのタイヤ径方向の幅の３〜２０％とすることが好ましい。同様に、端部領域７ｃ及び／又は７ｄのタイヤ周方向の幅は、それぞれ、パターン領域３ａ全体のタイヤ周方向の幅の３〜２０％とすることが好ましい。
【００２７】
本発明では、パターン領域は、複数の凸条を密集配置した単位パターンを有し、単位パターンは、単位パターンに含まれる複数の凸条の延在長さの和Ｌｓと、単位パターンの全体の面積Ｓとの比Ｌｓ／Ｓが、１．５〜５．５（ｍｍ／ｍｍ2）であることが好ましい。比Ｌｓ／Ｓを１．５（ｍｍ／ｍｍ2）以上とすることにより、単位パターンにおいて密な箇所を有効に形成することができ、一方で、比Ｌｓ／Ｓを５．５（ｍｍ／ｍｍ2）以下とすることにより、単位パターン全体における密な箇所の面積が大きくなり過ぎないようにすることができる。これにより、コントラストをより効果的に得ることができる。
同様の理由により、上記比Ｌｓ／Ｓは、２．５〜４．５（ｍｍ／ｍｍ2）とすることがより好ましい。
また、本発明では、単位パターンの全体の面積Ｓに対する、凸条の本数は、３〜２１（本／ｍｍ2）とすることが好ましい。３（本／ｍｍ2）以上とすることにより、単位パターンにおいて密な箇所を有効に形成することができ、一方で、２１（本／ｍｍ2）以下とすることにより、単位パターン全体における密な箇所の面積が大きくなり過ぎないようにすることができる。これにより、コントラストをより効果的に得ることができる。
同様の理由により、単位パターンの全体の面積Ｓに対する、凸条の本数は、９〜１５（本／ｍｍ2）とすることがより好ましい。
【００２８】
本発明では、単位パターンにおいて、複数の凸条は、隣り合う凸条間の距離が、凸条の延在方向の一方向に向かって漸減することが好ましい。隣り合う凸条間の距離に疎密が形成されるようにして、密な箇所が暗く、疎な箇所が明るいグラデーションの効果を得ることができるからである。これにより、コントラストをさらに効果的に得ることができる。
【００２９】
本発明では、単位パターンにおいて、凸条の延在長さが、２５０〜３５０ｍｍであることが好ましい。凸条の延在長さＬを２５０ｍｍ以上とすることにより、密な箇所を有効に形成することができ、一方で、３５０ｍｍ以下とすることにより、密な箇所の面積が大きくなり過ぎないようにすることができる。これにより、コントラストをより効果的に得ることができる。
同様の理由により、凸条の延在長さは、２７５〜３２５ｍｍとすることがより好ましい。
【００３０】
本発明では、パターン領域は、平面視で扇形の単位パターンの繰り返しからなることが好ましい。単位パターンを密に配置して、パターン領域全体の多くの箇所でコントラストを得ることができるからである。
特に、上記実施形態のように、平面視で扇形の単位パターン６に扇形の中心から放射状に延びる複数の凸条５を形成することにより、疎密を形成することが、コントラスト効果を得る上でより好ましい。
【００３１】
本発明では、パターン領域のうち、パターン領域外に隣接する領域を端部領域とし、端部領域に囲まれた領域を中央領域とするとき、端部領域の少なくとも一部の凸条の突出高さが、中央領域の凸条の突出高さよりも低いことが好ましい。パターン領域からパターン領域外へと段階的にコントラストが消失するようにすることができるからである。
【００３２】
本発明では、端部領域の少なくとも一部の凸条の突出高さは、中央領域側からパターン領域外側へ向かって漸減することが好ましい。パターン領域からパターン領域外へとグラデーション状にコントラストが消失するようにすることができるからである。
【００３３】
以上、本発明の実施形態について説明したが、本発明は上記の実施形態に何ら限定されるものではない。例えば、上記の実施形態では、標章部３は、タイヤ１の外面の、周上の互いにタイヤ周方向に１８０°離れた２箇所に形成されているが、標章部３は、タイヤ１の外面の、周上の１箇所以上に形成されていれば良い。上記の実施形態では、表示している標章（文字）３ｂが２箇所とも同じであるが異ならせることもでき、特に複数の種類の標章（文字等）３ｂを設ける場合に、標章部３を２箇所以上設けることが好ましい。一方、１つの標章（文字等）３ｂを設ける場合には、標章部３を２箇所以上とすることも、１箇所とすることもできる。標章（文字等）３ｂを設けずに、パターン領域３ａのみで標章部３を構成する場合には、タイヤ１の外面の、周上全域にわたってパターン領域３ａを設けることもできる。
【００３４】
さらに、上記の実施形態では、単位パターン６は、平面視で扇形としていたが、他にも、平面視で三角形状、矩形状、円形状、楕円形状等様々な形状とすることができる。いずれの形状においても、凸条５を例えば放射状に配置することにより、疎密を形成して、コントラストを得ることができる。
【符号の説明】
【００３５】
１：タイヤ
２：サイドウォール部
３：標章部、  ３ａ：パターン領域、  ３ｂ：標章
４：ベース部
５：凸条
６、６ａ、６ｂ、６ｃ、６ｄ：単位パターン
７、７ａ、７ｂ、７ｃ、７ｄ：端部領域
８：中央領域
【図１】
2020100371.tif 000003
【図２】
2020100371.tif 000004
【図３】
2020100371.tif 000005
【図４】
2020100371.tif 000006